(57)【要約】【課題】吸収性物品に、安価に男性器を固定する機能を付与することを可能にする。【解決手段】透液性の表面シート１０ａと、裏面シート１０ｂと、表面シート１０ａと裏面シート１０ｂとの間に介装される吸収体１２等により構成される吸収性物品であるインナーパッド１において、表面シート１０ａの一部を長手方向に沿って突出させるように、表面シート１０ａと一体の左右一対の突出部１３，１３を形成し、その左右一対の突出部１３，１３が長手方向に沿って重なる内部に、男性器の陰茎、または男性器全体を収納可能な収納部１９が形成される構成にした。【選択図】　図３
2004121387.tif 000002
【特許請求の範囲】
【請求項１】
透液性の表面シートと、裏面シートと、前記表面シートと前記裏面シートとの間に介装され、体液を吸収する吸収体とを有する吸収性物品において、
前記表面シートの一部が長手方向に沿って突出して形成された左右一対の突出部と、
前記左右一対の突出部の先端部同士を長手方向に沿って重ねることにより内部に形成された収納部と、を備え、
前記収納部は、男性器の陰茎、または男性器全体を収納可能に構成されていることを特徴とする吸収性物品。
【請求項２】
請求項１に記載の吸収性物品において、
前記収納部における、前記突出部の重なる部分が、一部に開口部を有して止着されるとともに、
前記開口部は、男性器の陰茎、または男性器全体を前記収納部に挿入可能な大きさに形成されていることを特徴とする吸収性物品。
【請求項３】
請求項１又は２に記載の吸収性物品において、
前記突出部に長手方向に沿って弾性部材が設けられており、
前記弾性部材が収縮することに基づき、前記突出部は、前記吸収体側に付勢されることを特徴とする吸収性物品。
【請求項４】
請求項３に記載の吸収性物品において、
前記弾性部材は、前記突出部の前記先端部に設けられていることを特徴とする吸収性物品。
【発明の詳細な説明】
【０００１】
【発明の属する技術分野】
この発明は、吸収性物品に関する。
【０００２】
【従来の技術】
従来、使い捨ての紙おむつや尿取りパッド等に代表される吸収性物品が知られている。そして、例えば、紙おむつを下腹部に着用することにより、失禁により排出された尿などの体液をその紙おむつに備えられた吸収体に吸収させることができる。
ところで、男性器である陰茎や陰嚢は、解剖学的構造により人体から緩やかに突出した形状を有しているため、着用した紙おむつの内部において、男性器が収まる位置はその時々において異なることが多い。また、歩行や寝返り等の動作によって、紙おむつの内部において、男性器が移動することもある。紙おむつの内部における男性器が、吸収体の中央付近に収まっている場合は問題ないが、尿が排出される外尿道口を先端部に有する陰茎が吸収体の縁部に近接した位置において、尿が排出された際に、その尿の量がその位置の吸収体が吸収する能力を越えてしまった場合、紙おむつから尿が漏れてしまうという問題があった。
【０００３】
そこで、紙おむつ等の内部において、男性器が移動することを抑制し、所定の位置に収まるようにする部材を備えた、紙おむつ等の吸収性物品が知られている（例えば、特許文献１参照）。
具体的には、例えば、図６に示されるように、吸収性物品１００は、表面シート１００ａと、裏面シート１００ｂと、表面シート１００ａと裏面シート１００ｂとの間に介装される吸収体１２０と、表面シート１００ａ上に、先端が長手方向に沿って重ねられて配置された左右一対の重ねシート１３０とを備えている。表面シート１００ａと重ねシート１３０との間には、男性器が移動することを抑制し、所定の位置に収まるよう収納可能な収納部１９０が設けられている。
【０００４】
【特許文献１】
特表２００２−５０９４６２号公報
【０００５】
【発明が解決しようとする課題】
しかしながら、上記特許文献１における吸収性物品１００は、新たに、重ねシート１３０を設けなければならなかったので、部品点数が増えることにより、製造工程が煩雑になるとともに、製造コストがあがるという問題があった。
また、吸収性物品１００の外側において、表面シート１００ａと重ねシート１３０とが重なり、嵩高くなることにより、その部分で液持ちして体液が逆戻りする原因となり、着用者へ不快感を与えることがあった。
【０００６】
本発明の課題は、男性器を固定する機能を有する吸収性物品において、着用者に不快感を与えることなくより確実に男性器を固定することができ、安価な吸収性物品を提供することである。
【０００７】
【課題を解決するための手段】
上記課題を解決するため、請求項１記載の発明は、例えば、図１から図５に示すように、
透液性の表面シート（例えば、表面シート１０ａ）と、裏面シート（例えば、裏面シート１０ｂ）と、前記表面シートと前記裏面シートとの間に介装され、体液を吸収する吸収体（例えば、吸収体１２）とを有する吸収性物品（例えば、インナーパッド１）において、
前記表面シートの一部が長手方向に沿って突出して形成された左右一対の突出部（例えば、突出部１３，１３）と、
前記左右一対の突出部の先端部（例えば、先端部１３ａ）同士を長手方向に沿って重ねることにより内部に形成された収納部（例えば、収納部１９）と、を備え、
前記収納部は、男性器の陰茎、または男性器全体を収納可能に構成されていることを特徴とする。
【０００８】
請求項１記載の発明によれば、吸収性物品の表面シートに形成された左右一対の突出部が重なることにより形成される収納部は、男性器の陰茎、または男性器全体を収納可能に構成されているので、吸収性物品において、男性器の陰茎、または男性器全体を、収納部に収納することにより、吸収性物品の所定の位置に固定することができる。また、男性器から排出された体液は、収納部内に受けられてから収納部下部の吸収体に吸収されることとなるので、吸収性物品の外に漏れにくくなる。
また、勢いよく排出された体液については突出部によってその勢いを打ち消すとともに収納部下部の吸収体に吸収しつつ、該突出部の外側にしみ出したものについては、該突出部の外側において表面シートを介し吸収体に吸収されることとなるので、より体液が外に漏れにくい吸収性物品とすることができる。また、この突出部の外側においては、従来の吸収性物品ように、表面シート上に他のシートは設けられないので、嵩高さは抑えられる。よって、その部分では液持ちせず、吸収性能を妨げないので、体液は吸収性物品の外に漏れにくくなり、着用者に不快感を与えにくくなる。
特に、収納部を形成する突出部は、吸収性物品の表面シートの一部により形成されているので、収納部の形成のために部品点数を増やす必要はない。
よって、製造コストを抑え安価に、男性器の陰茎、または男性器全体を吸収性物品の所定の位置に固定するための収納部を形成することができる。従って、より確実に男性器を固定する機能を有する、より安価な吸収性物品とすることができる。
【０００９】
請求項２記載の発明は、請求項１に記載の吸収性物品において、
前記収納部における、前記突出部の重なる部分が、一部に開口部（例えば、開口部２０）を有して止着されるとともに、
前記開口部は、男性器の陰茎、または男性器全体を前記収納部に挿入可能な大きさに形成されていることを特徴とする。
【００１０】
請求項２記載の発明によれば、請求項１記載の発明と同様の効果が得られることは無論のこと、特に、収納部は、男性器の陰茎、または男性器全体を収納部に挿入可能な大きさに形成された開口部を有しているので、男性器の陰茎、または男性器全体は、その大きさに応じた開口部からは外れにくく、好適に収納部に収納されることとなる。
よって、吸収性物品は、男性器の陰茎、または男性器全体を、吸収性物品の所定の位置に、より安定した状態で固定することができる。
【００１１】
請求項３記載の発明は、請求項１又は２に記載の吸収性物品において、
前記突出部に長手方向に沿って弾性部材（例えば、弾性部材１７）が設けられており、
前記弾性部材が収縮することに基づき、前記突出部は、前記吸収体側に付勢されることを特徴とする。
【００１２】
請求項３記載の発明によれば、請求項１又は２に記載の発明と同様の効果が得られることは無論のこと、特に、突出部に設けられた弾性部材が収縮することに基づき、突出部は、吸収体側に付勢されるので、突出部が形成する収納部も吸収体側に寄せられることとなる。つまり、収納部に収納される男性器の陰茎、または男性器全体も吸収体側に寄せられることとなるので、男性器から排出される体液は吸収体に吸収されやすくなり、より体液は吸収性物品の外に漏れにくくなる。
また、そのように収納部を形成する突出部により、男性器の陰茎、または男性器全体が吸収体側に付勢されるので、付勢される男性器は、吸収性物品における収納部からより外れにくくなる。
特に、収納部を形成する突出部に設けられた弾性部材が収縮するという伸縮性により、男性器の陰茎、または男性器全体が吸収体側に付勢されるので、男性器の大きさ等には関係なく、男性器は好適にフィットした状態で付勢される。
【００１３】
請求項４記載の発明は、請求項３に記載の吸収性物品において、
前記弾性部材は、前記突出部の前記先端部に設けられていることを特徴とする。
【００１４】
請求項４記載の発明によれば、請求項３記載の発明と同様の効果が得られることは無論のこと、特に、突出部の先端部に弾性部材が設けられているので、突出部は、効率的に収納部を形成することができる。
【００１５】
【発明の実施の形態】
以下、本発明の実施の形態を、図面を参照しながら詳細に説明する。
本実施の形態では、男性用吸収性物品として、使い捨て紙おむつの内部に備えて使用するインナーパッドを一例として、以下で説明する。
図１は、本実施の形態におけるインナーパッドを展開した斜視図である。また、図２は、同インナーパッドの平面図であり、図３は、図２のＩＩＩ−ＩＩＩ線における断面図である。
また、図４は、同インナーパッドにおける使用状態を示す平面図であり、図５は、図４のＶ−Ｖ線における断面図である。
図１〜図５に示すように、吸収性物品であるインナーパッド１は、インナーパッド本体１０と、左右一対のギャザーシート１１，１１等により構成されている。
【００１６】
インナーパッド本体１０は、人体との接触面側に設けられる透液性の不織布等からなる表面シート１０ａと、装着時に外部側に設けられる透液性又は不透液性の裏面シート１０ｂと、表面シート１０ａと裏面シート１０ｂとの間に介装される吸収体１２等により構成されている。
また、このインナーパッド本体１０ａにおいては、人体の股部を腹側から背側にかけて覆うように、一方の端部に腹側部１４が形成され、他方の端部に背側部１５が形成されている。また、腹側部１４と背側部１５との間が股下部１６となっている。
表面シート１０ａには、インナーパッド本体１０の長手方向に沿って左右一対の突出部１３，１３が形成されている。
【００１７】
突出部１３，１３は、吸収体１２の上面において、表面シート１０ａを長手方向に沿って二つ折りにした部分を、例えば、ホットメルトや、ヒートシール、超音波シール等により固着させることにより表面シート１０ａの一部を、インナーパッド本体１０ａの腹側部１４から背側部１５に亘って突出させて形成される。また、突出部１３，１３において、表面シート１０ａを二つ折りにした折り返し部分である先端部１３ａ，１３ａには、糸ゴム、ポリウレタン繊維等の弾性部材１７，１７が備えられている。この弾性部材１７，１７が収縮する作用により、左右一対の突出部１３，１３は、それぞれの先端部１３ａ，１３ａが吸収体１２に近づくように、インナーパッド本体１０の内側に倒れ、折り重なる。
【００１８】
このように左右の突出部１３，１３が重なった部分において、突出部１３，１３の先端部１３ａ，１３ａが所定の大きさの開口部２０を形成するように、左右の突出部１３，１３の先端部１３ａ，１３ａを、腹側部１４側から股下部１６にかけての所定の長さと、背側部１５側から股下部１６にかけての所定の長さを、例えば、ホットメルトや、ヒートシール、超音波シール等により止着している。ここで、内側とは、インナーパッド本体１０の幅方向の中央側をいう。同様に、外側とは、インナーパッド本体１０の幅方向の中央から離れる側をいう。
【００１９】
吸収体１２は、インナーパッド１の使用時に、体液としての尿等の水様成分を吸収するものであり、綿やパルプ等の吸収性素材や、繊維或いはフィルム等のシート状基材と、高吸水性樹脂とを組み合わせて形成される。吸収体１２は、インナーパッド本体１０の腹側部１４から背側部１５に亘る長さに形成されている。
【００２０】
ギャザーシート１１，１１は、インナーパッド本体１０における表面シート１０ａ側に、腹側部１４から背側部１５に亘って、突出部１３，１３よりもインナーパッド本体１０の幅方向の外側に備えられている。
このギャザーシート１１，１１は、の不透液性のシートを二つ折りにし、折り合わされた面を、例えば、ホットメルトや、ヒートシール、超音波シール等により固着させることにより形成されている。
【００２１】
ギャザーシート１１の幅方向において、その不透液性のシートを二つ折りにした折り返し部分側の端部を自由端部１１ａ、表面シートに固定される端部を固定端部１１ｂとする。その固定端部１１ｂが、表面シート１０ａと、その表面シート１０ａを覆うように表面シート１０ａ側へ折り返された裏面シート１０ｂとの間に挟まれるように固着されることにより、ギャザーシート１１，１１がインナーパッド本体１０に固定されている。このギャザーシート１１，１１がインナーパッド本体１０に固定された状態において、自由端部１１ａがインナーパッド本体１０から立設することにより、立体ギャザーが形成される。
なお、不透液性のシートを二つ折りにする際、不透液性のシートの中間部で折り返して、ギャザーシート１１全体が不透液性のシート２枚分重ねた構成について、図３，図５において示しているが、不透液性のシートをギャザーシート１１の自由端部１１ａ側において、後述する第２の弾性部材１８が備えられる部分のみ、不透液性のシートが２枚分重なるように折り返してギャザーシート１１を形成してもよい。
【００２２】
そして、ギャザーシート１１の自由端部１１ａには、ギャザーシート１３の長手方向に沿って、複数の糸ゴム、ポリウレタン繊維等の第２の弾性部材１８が略平行に備えられている。そして、この第２の弾性部材１８により立体ギャザーは、着用者の体型に合わせて伸縮自在に変形し、着用者にフィットしやすい構造となっている。
このように、インナーパッド本体１０の長手方向側の縁部において、表面シート１０ａから立設するギャザーシート１１，１１が設けられているので、排出された体液のうち、表面シート１０ａから吸収体１２に吸収されきれず、インナーパッド本体１０の長手方向側の縁部方向へ流出した体液が一度止められ、長手方向にその流れを拡散するなどし、吸収体１２へ吸収させることにより、体液の横漏れを防ぐ効果が期待できる。
【００２３】
次に、本発明のインナーパッド１における、突出部１３，１３の効果について説明する。
インナーパッド１を使用する際、図４，５に示されるように、開口部２０における突出部１３，１３を引き上げるように開き、突出部１３，１３と表面シート１０ａに覆われた収納部１９に、インナーパッド１の着用者の陰茎、または陰茎及び陰嚢を含む男性器全体を挿入する。挿入後、突出部１３，１３を放すなどし、自然状態に戻すと、突出部１３，１３に備えられた弾性部材１７，１７が収縮する作用により、突出部１３，１３は所定の位置に戻ろうとする。その際、突出部１３，１３は、収納部１９に収納された着用者の陰茎、または男性器全体を挟持するように包み込む。
【００２４】
インナーパッド１において、突出部１３，１３に包み込まれた着用者の陰茎、または男性器全体は、収納部１９に収納されることとなり、突出部１３，１３よりインナーパッド１の外側に移動することはできず、収納部１９が形成されたインナーパッド１の内側に保持される。
つまり、インナーパッド１に備えられた吸収体１２の量が比較的少ない縁部において尿が排出されることなく、吸収体１２の量が安定している内側の中央付近においてのみ尿が排出されることとなり、より確実に尿を吸収体１２へ吸収させることができる。また、排出された尿が、インナーパッド１の長手方向側の縁部方向、即ち、ギャザーシート１１，１１方向へ流出しようとする流れを突出部１３，１３が一時的に弱めつつ、突出部１３，１３に沿い、その長手方向にその流れを拡散することによっても、より確実に尿を吸収体１２へ吸収させることができ、尿の横漏れを防ぐ効果が期待できる。
【００２５】
なお、開口部２０の大きさや位置は、インナーパッド１のサイズ毎や、着用者の陰茎のみを収納部１９に収納するタイプ、または着用者の男性器全体を収納部１９に収納するタイプなどのインナーパッド１の型タイプ、形状に応じ、左右の突出部１３，１３の先端部１３ａ，１３ａを止着する長さを調整するなどし、調節することができる。
【００２６】
このように、インナーパッド１に形成された突出部１３，１３と、表面シート１０ａにより形成された収納部１９に、インナーパッド１の着用者の男性器である陰茎、または男性器全体を収納することにより、その男性器をインナーパッド１内の所定の位置に保持、固定することができる。
よって、尿などの体液を、吸収体１２が備えられた所定の位置に排出させることができ、より確実に尿を吸収体１２へ吸収させることができ、尿の横漏れを防ぐ効果が期待できる。
【００２７】
なお、以上の実施の形態においては、吸収性物品としてインナーパッドを例に説明したが、本発明はこれに限定されるものではなく、本発明のインナーパッドの構成を、吸収性物品である紙おむつや紙パンツなどに適用してもよい。
また、本実施の形態において、インナーパッド１の突出部１３，１３により、男性器を挟持するという男性用の使用法を例に説明したが、本発明のインナーパッド１における突出部１３，１３は、図１に示されるように、通常状態においては、表面シート１０ａ上に平面状に伏せられた形状であるので、突出部１３，１３を使用せず、伏せたまま使用すれば、女性の使用も可能である。
また、左右の突出部１３，１３の先端部１３ａ，１３ａを止着することはせず、任意の位置に、任意の大きさの開口部２０を形成することができるようにしてもよい。
また、その他、具体的な細部構造等についても適宜に変更可能であることは勿論である。
【００２８】
【発明の効果】
請求項１記載の発明によれば、吸収性物品の表面シートに形成された左右一対の突出部が重なることにより形成される収納部は、男性器の陰茎、または男性器全体を収納可能に構成されているので、吸収性物品において、男性器の陰茎、または男性器全体を、収納部に収納することにより、吸収性物品の所定の位置に固定することができる。また、男性器から排出された体液は、収納部内に受けられてから収納部下部の吸収体に吸収されることとなるので、吸収性物品の外に漏れにくくなる。
また、勢いよく排出された体液については突出部によってその勢いを打ち消すとともに収納部下部の吸収体に吸収しつつ、該突出部の外側にしみ出したものについては、該突出部の外側において表面シートを介し吸収体に吸収されることとなるので、より体液が外に漏れにくい吸収性物品とすることができる。また、この突出部の外側においては、従来の吸収性物品ように、表面シート上に他のシートは設けられないので、嵩高さは抑えられる。よって、その部分では液持ちせず、吸収性能を妨げないので、体液は吸収性物品の外に漏れにくくなり、着用者に不快感を与えにくくなる。
特に、収納部を形成する突出部は、吸収性物品の表面シートの一部により形成されているので、収納部の形成のために部品点数を増やす必要はない。
よって、製造コストを抑え安価に、男性器の陰茎、または男性器全体を吸収性物品の所定の位置に固定するための収納部を形成することができる。従って、より確実に男性器を固定する機能を有する、より安価な吸収性物品とすることができる。
【００２９】
請求項２記載の発明によれば、請求項１記載の発明と同様の効果が得られることは無論のこと、特に、収納部は、男性器の陰茎、または男性器全体を収納部に挿入可能な大きさに形成された開口部を有しているので、男性器の陰茎、または男性器全体は、その大きさに応じた開口部からは外れにくく、好適に収納部に収納されることとなる。
よって、吸収性物品は、男性器の陰茎、または男性器全体を、吸収性物品の所定の位置に、より安定した状態で固定することができる。
【００３０】
請求項３記載の発明によれば、請求項１又は２に記載の発明と同様の効果が得られることは無論のこと、特に、突出部に設けられた弾性部材が収縮することに基づき、突出部は、吸収体側に付勢されるので、突出部が形成する収納部も吸収体側に寄せられることとなる。つまり、収納部に収納される男性器の陰茎、または男性器全体も吸収体側に寄せられることとなるので、男性器から排出される体液は吸収体に吸収されやすくなり、より体液は吸収性物品の外に漏れにくくなる。
また、そのように収納部を形成する突出部により、男性器の陰茎、または男性器全体が吸収体側に付勢されるので、付勢される男性器は、吸収性物品における収納部からより外れにくくなる。
特に、収納部を形成する突出部に設けられた弾性部材が収縮するという伸縮性により、男性器の陰茎、または男性器全体が吸収体側に付勢されるので、男性器の大きさ等には関係なく、男性器は好適にフィットした状態で付勢される。
【００３１】
請求項４記載の発明によれば、請求項３記載の発明と同様の効果が得られることは無論のこと、特に、突出部の先端部に弾性部材が設けられているので、突出部は、効率的に収納部を形成することができる。
【図面の簡単な説明】
【図１】本発明にかかるインナーパッドの斜視図である。
【図２】本発明にかかるインナーパッドの平面図である。
【図３】図２のＩＩＩ−ＩＩＩ線における断面図である。
【図４】本発明にかかるインナーパッドの使用状態の平面図である。
【図５】図４のＶ−Ｖ線における断面図である。
【図６】従来の吸収性物品の断面図である。
【符号の説明】
１　　　インナーパッド（吸収性物品）
１０　　インナーパッド本体
１０ａ　表面シート
１０ｂ　裏面シート
１１　　ギャザーシート
１１ａ　自由端部
１１ｂ　固定端部
１２　　吸収体
１３　　突出部
１３ａ　先端部
１４　　腹側部
１５　　背側部
１６　　股下部
１７　　弾性部材
１８　　第２の弾性部材
１９　　収納部
２０　　開口部
【図１】
2004121387.tif 000003
【図２】
2004121387.tif 000004
【図３】
2004121387.tif 000005
【図４】
2004121387.tif 000006
【図５】
2004121387.tif 000007
【図６】
2004121387.tif 000008